(57)【要約】【課題】  塑像や彫像の制作で、頼りになるのは自分の感性と手先の器用さだけであり、初心者にとっては、やってみたいと思っても、作品造りへの垣根は結構高いのが現状である。この点に鑑み、本発明ではこの垣根を取り払って、塑像や彫像の制作に誰でも気楽に取り組むことが出来て、しかも、満足度の高い作品が仕上がる喜びが生まれる教材の提供を課題とした。【解決手段】  彫刻可能な素材によって構成した完成彫刻像の周りを、より彫り易い彫刻素材によって包んで一体化した彫像制作教材である。彫刻素材は、完成彫刻像の外周に近接した薄い注意彫り彫刻層と、注意彫り彫刻層を包む彫り易い荒彫り彫刻層と、荒彫り彫刻層を包む更により軟らかい荒切り彫刻層の３層によって一体的に構成し、それらの各層を色彩的に区分したことを特徴とする。また、彫塑制作教材は、制作目標となる完成塑像の外寸より、数ｍｍ程度均一に縮めた形状をもって塑像制作芯体とすることを特徴とする。【選択図】図１
2014213579.tif 000002
【特許請求の範囲】
【請求項１】
彫刻可能な素材によって構成した完成彫刻像の周りを、より彫り易い固さの彫刻素材によって包んで一体化したことを特徴とする彫塑制作教材。
【請求項２】
彫刻素材を、彫り易い固さと色彩の違いによって、複数の層に分けて構成し、完成彫刻像の外周を包んで一体化したことを特徴とする請求項１の彫塑制作教材。
【請求項３】
彫刻素材を、完成彫刻像の外周に近接した薄い注意彫り彫刻層と、注意彫り彫刻層を包む彫り易い荒彫り彫刻層と、荒彫り彫刻層を包む更により軟らかい荒切り彫刻層の３層によって一体的に構成したことを特徴とする請求項１の彫塑制作教材。
【請求項４】
彫刻素材を、完成彫刻像の上面のみに設けてレリーフ制作教材としたことを特徴とする請求項１〜３の彫塑制作教材。
【請求項５】
完成彫刻像の表層に、色彩画像を設けたことを特徴とする請求項４の彫塑制作教材。
【請求項６】
完成彫刻像を透明として、その裏面に画像写真を設けたことを特徴とする請求項４の彫塑制作教材。
【請求項７】
制作目標となる完成塑像の外寸より、数ｍｍ程度均一に縮めた形状をもって塑像制作芯体とすることを特徴とする彫塑制作教材。
【発明の詳細な説明】
【技術分野】
【０００１】
本発明は、彫塑制作、即ち、彫像や塑像の制作を、初心者でも手軽に試みることができるようにした、彫塑制作教材に関する。
【背景技術】
【０００２】
従来の彫像や塑像の制作はすべて手作業であって、自分の感性と手先の器用さを頼りに進めていた。そして、それらの彫像や塑像制作に利用する初心者向けの教材としては、業者が用意した、荒切りした彫刻素材や彫塑用手造り芯などはあるが、それらも全て手造りの商品であった。特許文献においても、量産可能な技術は見当たらなかった。
【発明の概要】
【発明が解決しようとする課題】
【０００３】
前述のように、塑像や彫像の制作で、頼りになるのは自分の感性と手先の器用さだけであるから、初心者にとっては、やってみたいと思っても、作品造りへの垣根は結構高いのが現状である。この点に鑑み、本発明ではこの垣根を取り払って、塑像や彫像の制作に誰でも気楽に取り組むことが出来て、しかも、相当良質な作品が仕上る喜びが感じられる教材を提供することを課題とした。
【課題を解決するための手段】
【０００４】
彫刻制作教材は、彫刻可能な素材によって構成した完成彫刻像の周りを、より彫り易い彫刻素材によって包んで一体化し、好ましくは、その彫刻素材を、完成彫刻像の外周に近接した薄い注意彫り彫刻層と、注意彫り彫刻層を包む彫り易い荒彫り彫刻層と、荒彫り彫刻層を包む更により彫り易く切りやすい荒切り彫刻層の３層によって一体的に構成し、それらの各層を色彩的に区分する。
【０００５】
彫刻素材を完成彫刻像の上面のみに設けてレリーフ制作教材とし、場合によっては、完成彫刻像の表層に色彩画像を設けたり、完成彫刻像を透明として、その裏面に、画像写真を設ける。
【０００６】
また、彫塑制作教材は、制作目標となる完成塑像の外寸より、数ｍｍ程度均一に縮めた形状をもった塑像制作芯体として構成する。
【発明の効果】
【０００７】
本発明は、彫像制作や塑像制作の過程を、いわば絵画における大人の塗り絵的な安易さで楽しめるようにすることが可能である。
【０００８】
即ち、従来の木彫手法に準じて、彫像制作素材の側面と上面に、彫像の正面図・側面図・平面図などを示す透視ラインと、荒切りラインを設けているので、おおよその形や方向性をつかむことができる。その上で、荒切りラインを手がかりにして行なう、荒切り素材のカットは、一般のカッターで容易に行なうことができる。従って、従来の木彫の場合のような鋸による切断作業も必要なく、カッターによる大まかな切断の後、鋸ではできないような奥まった細部までも、カッターによる切断や彫刻刀による彫り取りカットを行うことが容易である。そのため、荒切り素材の領域を広げて、荒彫り素材の領域を狭めることが可能となり、彫刻作業が短縮できる効果が生まれる。
【０００９】
荒切り素材に接する荒彫り素材との境界は、色彩の変化とカッターでは切りにくくなる固さの変化で容易に判別でき、その時点で彫刻刀による荒彫りの作業に移る。荒彫り素材の領域は、せいぜい５〜１０ｍｍ程度で十分であり、非常に彫り易い固さである。そして、次に現れる注意彫り素材層は、赤色などの目立つ色彩で注意を喚起するので、そこまでは、あまり気をつかうことなく、ごく大雑把に彫り進むことが可能である。
【００１０】
赤色などの注意彫り素材層は、ほぼ２〜３ｍｍ程度の厚みしかなく、仕上がり目標である完成彫像に最接近しているという注意喚起する効果がある。すなわち、その赤色の層を注意深く慎重に彫り取ってしまうことで、ほぼ完璧な完成彫像の制作が完了する。従って、初めて挑戦する彫刻の初心者でも、安心して彫り進むことができ、ほぼ満足できる彫像制作の仕上がりが期待できる。尚、完成彫像の完成度は、初歩的な利用者向けにはほぼ１００％くらいが好ましいが、やや習熟した利用者向けには、完成度を落とすことによって、多少の創意を加える余地を加えることもできる。
【００１１】
以上の彫刻制作は、子供の手でも抵抗なく進められる程度の容易さを実現するものであるが、その制作手法は、従来の木彫手法に準じて構成したもので、発展的に木材や石材の彫刻制作の手ほどきにもなる効果が期待できる。
【００１２】
その一方で、この彫刻教材を謎解きのゲーム感覚で楽しませることも可能である。即ち、彫像制作素材の側面などに彫像の正面図・側面図・平面図などの透視ラインや荒切りラインを設けない彫刻素材とし、中から、どのような完成彫刻が出現するか、分からないまま楽しみにしながら掘り進むことも可能である。それは、既に述べたように、外周の彫刻素材の各層と中核の完成彫像の素材は、切り取り・彫り取りの硬度の違いもあり、その色彩の違いもあるからである。従って、誰が彫っていっても、彫刻刀の当たりや色の違いで完成彫像に近づいたことが分かり、赤色の注意彫り彫刻層を手がかりに、以後丁寧に彫っていけば目的の完成彫像を制作できる。
【００１３】
実施例２のレリーフ彫刻教材は、完成彫像Ａの上に彫刻素材Ｂを設けて一体化した構造であり、彫刻素材Ｂを彫り取ると、完成彫像Ａが作品として仕上がってくる。この点は、上述の彫刻完成彫像Ａ教材と同様である。これらのレリーフ彫刻教材において、実施例３では完成彫像Ａそのものに、その原画の画像がそのままプリントされているため、仕上がった作品は、原画そっくりのレリーフ像の感じのものとなる。従って、名画シリーズ・名所風景シリーズ・静物シリーズ・物語シリーズ・アニメシリーズなどの画像レリーフ教材として、学習者のニーズに合わせて提供していくことが期待できる。
【００１４】
実施例４においては、完成彫像Ａが透明であるので、その下部に、そのレリーフの原画となっている画像を設けるだけで、そのレリーフ作品に、原画の色彩などの感じを加えることができる。
【００１５】
実施例５の塑像制作教材は、塑像制作の芯自体が、仕上がりの塑像にほぼ近いサイズであり、その外面に所定の薄厚、例えば３ｍｍ程度の厚みの粘土を重ねると、設計上は、ほぼ完璧な形状に仕上るようになっている。従って、仕上がりの多少の巧拙はあっても、丁寧にやりさえすれば、誰がやっても、ほぼ満足できる一応の完成度をもった仕上がりを期待できる。
【図面の簡単な説明】
【００１６】
【図１】本発明実施例１の基本的な構成を示す断面による説明図。
【図２】本発明実施例１の断面を示す説明図。
【図３】本発明実施例１の斜面図による説明図。
【図４】本発明実施例２の断面を含む説明図。
【図５】本発明実施例３の断面を示す説明図。
【図６】本発明実施例４の断面を示す説明図。
【図７】本発明実施例５の断面を示す説明図。
【発明を実施するための形態】
【００１７】
本発明は、彫刻制作あるいは彫塑制作の難しさを、たとえば絵画における大人の塗り絵的に、ぐっと手軽に楽しめるように構成したものであって、その最良の形態について図に基づいて説明する。
【実施例】
【００１８】
まず、彫像制作教材の実施例１について説明する。彫刻制作教材は、図１に示すように、彫刻可能な素材によって構成した完成彫像Ａを、彫刻のより容易な彫刻素材Ｂによって包んで一体化し構成するものである。
【００１９】
即ち、完成彫像Ａは、それ自体が既に完成度の高い作品そのものか、あるいは、その一歩手前の、あと少し手を加えれば完成する完成度の高いもので、彫刻可能な素材によって構成する。完成彫像Ａの外周は、完成彫像Ａよりも彫刻し易い、軟らかい彫刻素材Ｂによって包んで一体化し、角柱もしくは円柱などの形状とする。
【００２０】
完成彫像Ａと彫刻素材Ｂは、固さによる彫刻の難易度のほかに、色彩も変えて両者の境界面を明確にする。完成彫像Ａを中核として一体化する彫刻素材Ｂは、最も単純には、図１に示すように同一素材によって構成するが、より理想的には、図２に示すように、固さと色彩の異なる２層とか３層など複数の層によって構成する。
【００２１】
完成彫像Ａは、彫刻可能な単一な素材で構成するか、あるいは、図示のように、発泡素材などによって構成する中核の芯材１を、彫刻可能な完成彫像素材２によって包んで一体化する。そして、完成彫像Ａの外周に設ける彫刻素材Ｂは、完成彫像Ａの外周に直接接するほぼ２〜３ｍｍ厚の注意彫り彫刻層３と、その注意彫り彫刻層３の外周に設ける荒彫り彫刻層４と、荒彫り彫刻層４の外周に設ける荒切り彫刻層５の３層によって構成する。
【００２２】
完成彫像Ａならびに彫刻素材Ｂの組成は、彫刻可能な適度な固さをもつ、水溶性樹脂粉入り石膏や樹脂粘土、あるいは木粉粘土などが利用できるが、特に限定するものではない。その一例を示すと、完成彫像Ａを構成する完成彫像素材２は、一般に市販されている水溶性樹脂粉入り石膏１００ｇ＋水３０ｃｃの混合比から、水溶性樹脂粉入り石膏１００ｇ＋石膏２０ｇ＋水６４ｃｃの混合比によって適度な固さとした。そして、近接する注意彫り彫刻層３は、前記の混合比によって完成彫像Ａとほぼ同じ固さとするか、更に石膏の比率を増してやや軟らかく構成させる。あるいは、後述のように、初心者向けに特に軟らかくする場合は、石膏の割合を増やすとか、発泡剤（炭酸水素ナトリウムなど）を加える。次の荒彫り彫刻層４は、水溶性樹脂粉入り石膏５０ｇ＋石膏５０ｇ＋水５７ｃｃの混合比によって作り、彫刻刀によって楽に削れる適度な固さとした。
【００２３】
そして、一番外郭の層となる荒切り彫刻層５は、カッターでも容易に切れて、彫刻刀でも楽に彫り取れるように、前述の配合素材に発泡剤として炭酸水素ナトリウム（重曹）を加え、例えば、水溶性樹脂粉入り石膏５０ｇ＋石膏５０ｇ＋重曹０．５〜１ｇ＋水５７ｃｃによる混合比でほぼ満足する固さとした。
【００２４】
尚、この完成彫像Ａと彫刻素材Ｂ各層を構成する樹脂粉末・石膏・発泡剤などの混合比は特に限定するものではない。また、完成彫像Ａの外周に設ける彫刻素材Ｂは、必ずしも３層に限定するものではなく、既に述べたように、単純に１層としてもよいし、あるいは、３層以上としてもよい。また、必ずしも、荒切り彫刻層５・荒彫り彫刻層４・注意彫り彫刻層３と順次固くしていかなくても、たとえば、 注意彫り彫刻層３の目的を、完成彫像Ａに接近という注意喚起のみとして、完成彫像Ａと荒彫り彫刻層４との境界を示す層として、ごく軟らかい層としてもよい。注意彫り彫刻層３が軟らかいと、彫刻初心者であっても注意彫り彫刻層３が極めて容易となり、力余って完成彫像Ａまで彫り込んでしまうという失敗は無くなる利点がある。あるいはその反対に、注意彫り彫刻層３の固さを完成彫像Ａの固さとほぼ同じくすることによって、より慎重に彫り進まないと、完成彫像Ａの部分まで彫り込んでしまう惧れを設け、彫刻していく人の彫り方の巧拙が、完成する作品の仕上がりに反映する度合いを大きくしてもよい。
【００２５】
尚、彫刻素材Ｂの外周には、図３に示すように、その四周に、完成彫像Ａの正面図・側面図・裏面図などを示す透視ライン６と、荒切りライン７を設ける。荒切りライン７は、木彫などの際に、仕上げる彫像を想定しながら、鋸で荒切りするために行なわれる、荒切りラインに準ずるものである。
【００２６】
あるいは、彫像制作素材の四周などに彫像の正面図・側面図・平面図などの透視ラインや荒切りラインを設けない彫刻素材として提供することも出来る。この場合、外見は角柱状や円柱状の形状というだけで、その内部に、どのような形状の完成彫像Ａが内蔵されているかは分からない。しかし、完成彫像Ａの周りには、カッターや彫刻刀によって切ったり彫ったりできる荒切り彫刻層５から始まって、やや硬くて彫刻刀でないと彫れない荒彫り彫刻層４があり、最終的には、完成彫像Ａの近接を知らせる赤色などと続くので、完成彫像Ａを彫り上げることが可能である。これは、彫塑制作教材としては一見不親切なようであるが、中からどのような完成彫刻が出現するか、分からないままに掘り進むというゲーム的な面白さがあるので、若い人たちには喜ばれると思われる。
【００２７】
本発明をレリーフ彫刻教材として実施するための実施例２を、図４によって説明する。
【００２８】
レリーフ彫刻は、一般的に、板状の彫刻素材の上面を彫り込むだけなので、その構成は、レリーフ状の完成彫像Ａの上面に、彫刻のより容易な彫刻素材Ｂを合わせて一体化し、平板状の形状とする。
【００２９】
完成彫像Ａは、それ自体が既に完成度の高いレリーフ彫刻作品そのものか、あるいは、その一歩手前の、あと少し手を加えれば完成する完成度の高いものであって、彫刻可能な素材によって構成する。完成彫像Ａの上面には、彫刻素材Ｂを設けて一体化するが、彫刻素材Ｂをいくつかの層に分けてもよい。例えば、実施例１と同様に、完成彫像Ａの外周に直接接するほぼ２〜３ｍｍ厚の注意彫り彫刻層３と、その注意彫り彫刻層３の外周に設ける荒彫り彫刻層４を設ける。そして、一般的には実施例１で述べた荒切り彫刻層５は、特に大きな起伏のあるレリーフ彫刻でなければ必要はない。尚、完成彫像Ａならびに彫刻素材Ｂ各層の組成は、実施例１に準じて構成する。
【００３０】
彫刻素材Ｂの上面には、完成彫像Ａの仕上がりを示す画像８、または実施例１と同様な透視ライン６（図は省略）を設けるが、レリーフ彫刻のため、正面図・側面図・裏面図などは必要としない。
【００３１】
次に、実施例２のレリーフ彫刻の完成彫像Ａの表層に、色彩画像をプリントした実施例３を、図５によって説明する。
【００３２】
従来から行われていたレリーフ彫刻は、彫り上げた彫刻そのものが完成した作品であるが、場合によっては、そのあとに色彩を施していくこともあった。実施例２は、そのいずれにも対応できるが、たとえば、名画をモチーフにした名画シリーズのレリーフの場合は、名画のもつ微妙な色彩の再現は非常に困難である。本実施例は、これに鑑み、完成彫像Ａの表層にあらかじめ原画の画像をプリントした画像層９を設けておき、注意彫り彫刻層３を彫り取ると、画像層９にプリントされている原画の画像が現れるようにしている。画像層９は、完成彫像Ａの表層に画像を直接プリントしたままでもよいが、この場合、注意彫り彫刻層３を彫り取る際に画像を損傷させる恐れがある。したがって、好ましくは、透明な樹脂シートの裏面に、原画の画像を逆転プリントしてから、完成彫像Ａのレリーフ面の形状に加熱プレスする。これによって、内面に画像層９を設けたレリーフ表層１０を表層とする完成彫像Ａが構成される。この構成は、簡易的には、完成彫像Ａの表層にプリントした画像層９を、透明な樹脂によってカバーすることでも可能である。しかし、これらの手法は特に限定するものではない。
【００３３】
次に、レリーフ彫刻と画像を重ね合わせて利用する実施例４について、図６によって説明する。
【００３４】
実施例４は、実施例２の完成彫像Ａを、透明なレリーフ状の完成彫像Ａとして構成したものである。即ち、完成彫像Ａを透明な樹脂によって構成し、その上面に、図示は省略しているが、ほぼ２〜３ｍｍ厚の注意彫り彫刻層３と荒彫り彫刻層４を設けて一体化し、全体的には、平板状などの形状とし、その上面には、仕上げるレリーフ彫像の形状に対応する原寸の画像８、もしくは線画による透視ライン６を設ける。
【００３５】
従って、この実施例４では、その上面の画像８などを参考にして、荒彫り彫刻層４と注意彫り彫刻層３を彫り進んでいき、レリーフ彫刻が完了すると、裏面が平面で上面がレリーフ状の透明な完成彫像Ａが完成する。
【００３６】
従って、この透明なレリーフ状の完成彫像Ａの裏面に、レリーフ彫像の原図となった画像写真１１を予め貼着しておくか、事後重ね合わせると、彫り上げたレリーフ彫刻から重ね合わせた画像写真１１の色彩が浮かび上がってきて、完成彫像Ａのレリーフの起伏と重なり、画像写真１１がレリーフ化した感じとなる。額装などによって、机上や壁面を飾るインテリアとしての応用が期待できる。また、その裏面にＬＥＤ電球など配して、点灯して楽しむこともできる。
【００３７】
次に、塑像制作教材について説明する。塑像制作教材は、制作目標として想定される完成塑像Ｃを基準にして、その完成塑像Ｃの外寸より、例えば数ｍｍ程度縮めた塑像制作芯体Ｂを設けたもので、その外周面８に、所定の例えば数ｍｍ程度の粘土１２を重ねていくと、目標とされる完成塑像Ｃが出来上がるように構成するものである。
【００３８】
塑像制作芯体Ｃの外周面は、無数の微細な突起または凹凸を設けて構成するが、塑像製作芯Ｃと使用する粘土の接着性が良好であれば、平滑にしてあっても特に問題ない。
【００３９】
塑像制作芯体Ｃは、紙粘土・軽量樹脂粘土・石膏などを、所定の型を利用しても作ることは可能であるが、軽量発泡樹脂などによって量産化すると安価に提供できる。
【符号の説明】
【００４０】
Ａ  完成彫像                                                                 
Ｂ  彫刻素材                                                                 
Ｃ  完成塑像                                                                 
Ｄ  塑像制作芯体                                                             
１  芯材                                                                     
２  彫刻素材                                                                 
３  注意彫り彫刻層                                                           
４  荒彫り彫刻層                                                             
５  荒切り彫刻層                                                             
６  透視ライン                                                               
７  荒切りライン                                                             
８  画像                                                                     
９  画像層                                                                   
１０  レリーフ表層                                                             
１１  画像写真                                                                 
１２  粘土
【図１】
2014213579.tif 000003
【図２】
2014213579.tif 000004
【図３】
2014213579.tif 000005
【図４】
2014213579.tif 000006
【図５】
2014213579.tif 000007
【図６】
2014213579.tif 000008
【図７】
2014213579.tif 000009